(57)【要約】【課題】  発光効率が高い照明装置を実現する。【解決手段】  本発明の照明装置は、光を出射するＬＥＤ素子１と、ＬＥＤ素子１から出射される光によって励起して発光する蛍光体５と、ＬＥＤ素子１と蛍光体５とを配置するための凹部を有するパッケージ３と、パッケージ３における凹部の開口部が設けられている面を塞ぐための透明板４とを含む。透明板４は、ＬＥＤ素子１から出射される光を反射するための紫外カットフィルタ６を備えている。これにより、ＬＥＤ素子１から出射される光が外部へ放出されることを抑制することができ、蛍光体５が発光する頻度が高くなり、より発光効率が高い照明装置を実現することができる。【選択図】  図１
2007088348.tif 000002
【特許請求の範囲】
【請求項１】
可視領域以外の成分を少なくとも含む光を出射する発光素子と、
上記発光素子から出射される光によって励起して可視領域の光を発光する蛍光物質と、
上記発光素子と上記蛍光物質とを内部に配置するとともに、上記発光素子から出射された光および上記蛍光物質から発光された光を外部へ放出させるための開口部が形成されているパッケージとを備えた照明装置において、
上記発光素子から出射された可視領域以外の光を反射する波長カットフィルタが、上記パッケージの開口部に備えられていることを特徴とする照明装置。
【請求項２】
上記パッケージには、上記発光素子と上記蛍光物質とを内部に配置するための凹部が設けられていることを特徴とする請求項１に記載の照明装置。
【請求項３】
さらに、上記パッケージにおける上記開口部が形成されている面の上に、上記パッケージの開口部を塞ぐための透明部材が設置されていることを特徴とする請求項１又は２に記載の照明装置。
【請求項４】
上記透明部材は、平板形状であることを特徴とする請求項３に記載の照明装置。
【請求項５】
上記波長カットフィルタは、上記透明部材における上記パッケージの内部側に向いている面に設置されていることを特徴とする請求項３に記載の照明装置。
【請求項６】
上記透明部材は、上記波長カットフィルタと一体化したものであることを特徴とする請求項３に記載の照明装置。
【請求項７】
さらに、上記透明部材の表面に、発光素子を外部電力と電気的に接続するための電気配線が設けられ、
上記発光素子は、上記透明部材における上記パッケージの内部側に向いている面に設置されていることを特徴とする請求項４に記載の照明装置。
【請求項８】
上記電気配線における上記パッケージの開口部が設けられている面に対して垂直方向の幅が、上記パッケージの開口部が設けられている面に対して水平方向の幅よりも広いことを特徴とする請求項７に記載の照明装置。
【請求項９】
複数色のカラーフィルタを備えた液晶表示装置に搭載される照明装置であって、
各色のカラーフィルタの透過特性のスペクトル分布が互いに重なる帯域の光をカットするための第２の波長カットフィルタが、上記パッケージの開口部に備えられていることを特徴とする請求項１記載の照明装置。
【請求項１０】
上記パッケージの内部に、上記蛍光物質を含んだ透明樹脂が充填されていることを特徴とする請求項１に記載の照明装置。
【請求項１１】
上記発光素子から出射される光は、紫外領域の光であることを特徴とする請求項１に記載の照明装置。
【請求項１２】
上記パッケージは、セラミックで形成されたものであることを特徴とする請求項１に記載の照明装置。
【請求項１３】
上記発光素子は、上記パッケージの内部に複数備えられていることを特徴とする請求項１に記載の照明装置。
【請求項１４】
さらに、第２の波長カットフィルタの上に、第２の透明部材を備えていることを特徴とする請求項９に記載の照明装置。
【請求項１５】
請求項１に記載の照明装置を備えたバックライト装置において、
透明部材上に上記照明装置が、複数配置されていることを特徴とするバックライト装置。
【請求項１６】
請求項１５に記載のバックライト装置を搭載していることを特徴とする液晶表示装置。
【発明の詳細な説明】
【技術分野】
【０００１】
本発明は、液晶ディスプレイ用バックライト光源や照明光源などに用いられる照明装置、並びに該照明装置を複数搭載したバックライト装置、並びに該バックライト装置を搭載した液晶表示装置に関するものである。
【背景技術】
【０００２】
従来から、照明光源や液晶ディスプレイ用バックライト光源等に、発光ダイオード（ＬＥＤ）等の発光素子を用いた照明装置が広く使われている（例えば、特許文献１〜３参照）。
【０００３】
上記ＬＥＤにおいて、白色発光を実現させるためには、Ｒ・Ｇ・Ｂの３色に対応した３色の光を発光させる必要がある。Ｒ・Ｇ・Ｂの３色の光を発光させる方法としては、３色それぞれに対応した３つのＬＥＤ素子を同時発光させることが挙げられる。
【０００４】
また、別の方法として、ＬＥＤによって蛍光物質を励起して発光させる方法がある（例えば、特許文献４参照）。ＬＥＤによって蛍光物質を励起して発光させる構成としては、例えば、ＬＥＤとして青色発光ＬＥＤを用いて、蛍光物質として青色発光ＬＥＤによって励起され青色以外の可視領域の光を発光する物質と組み合わせたものが挙げられる。上記蛍光物質としては、赤色を発光する物質と、黄色を発光する物質若しくは緑色を発光する物質とを組み合わせたものが挙げられる。
【０００５】
また、最近では、紫外領域の光を発光するＬＥＤと、紫外領域の光によって励起され可視領域の光を発光する蛍光物質とを組み合わせた構成のものが検討されている。
【０００６】
上記構成の照明装置の光度は、年々高くなっており、上記構成の照明装置は大型液晶のバックライト光源や大型照明光源として開発が進められている。
【特許文献１】特開平８−３３０６３５（１９９６年１２月１３日公開）
【特許文献２】特開２００２−２２３００６（２００２年８月９日公開）
【特許文献３】特開平５−１７５６１４（１９９３年７月１３日公開）
【特許文献４】特開２００２−２５２３７２（２００２年９月６日公開）
【発明の開示】
【発明が解決しようとする課題】
【０００７】
しかしながら、上記従来の構成では、発光効率が低いという問題を生じる。
【０００８】
具体的には、上記ＬＥＤによって蛍光物質を励起させて発光させる構成の照明装置では、ＬＥＤから出射される光のうち蛍光物質と作用しない光は外部へ放出されてしまうため、発光効率が低くなってしまう。例えば、青色発光ＬＥＤの場合では、発光する光の一部に紫外領域の光を含んでおり、紫外領域の光は照明装置が出射する可視領域の光には寄与しないため、蛍光物質と作用せずに放出された紫外領域の光の量だけ発光効率は低くなってしまう。特に、紫外領域の光を発光するＬＥＤの場合では、ほとんど全ての光が可視領域の光には寄与しないため、発光効率は非常に低い。
【０００９】
本発明は、上記の問題点に鑑みてなされたものであり、その目的は、より発光効率の高い照明装置を実現することにある。
【課題を解決するための手段】
【００１０】
本発明に係る照明装置は、上記課題を解決するために、可視領域以外の成分を少なくとも含む光を出射する発光素子と、上記発光素子から出射される光によって励起して可視領域の光を発光する蛍光物質と、内部の光を外部へ放出させるための開口部が設けられ、上記発光素子と上記蛍光物質とを内部に配置するためパッケージとを含む照明装置において、上記発光素子から出射される光における可視領域以外の光を反射する波長カットフィルタが、上記パッケージの開口部に備えられていることを特徴としている。
【００１１】
上記の構成によれば、波長カットフィルタが、上記パッケージの開口部に備えられているため、発光素子から出射される可視領域以外の光は、パッケージの外部へ放出されることなく、当該波長カットフィルタによって反射されてパッケージの内部に留まることになる。つまり、発光素子から出射される可視領域以外の光は、発光物質を励起するまでパッケージの内部に留まることになる。よって、発光素子から出射される光のうち、より高い割合の光が、照明装置から出射される可視領域の光に寄与することができるため、照明装置から出射される光の光度が高くなる。従って、一定の照度の光を発生させるために必要な電力が小さいため、より発光効率が高く、消費電力の少ない照明装置を提供することができるという効果を奏する。
【００１２】
本発明に係る照明装置では、上記パッケージには、上記発光素子と上記蛍光物質とを内部に配置するための凹部が設けられていることが好ましい。
【００１３】
これにより、部材に凹部を設けるだけの簡単な加工を施すことによりパッケージを形成させることができる。このため、製造コストを抑制することができるというさらなる効果を奏する。
【００１４】
また、本発明に係る照明装置では、さらに、上記パッケージにおける上記開口部が形成されている面の上に、上記パッケージの開口部を塞ぐための透明部材が設置されていることが好ましい。
【００１５】
これにより、透明部材によりパッケージ内部を保護することができる。よって、照明装置の耐久性をより高くすることができるというさらなる効果を奏する。
【００１６】
また、本発明に係る照明装置では、上記透明部材は、平板形状であることが好ましい。
【００１７】
これにより、簡単に透明部材を製造することができる。このため、製造コストを抑制することができるというさらなる効果を奏する。
【００１８】
また、本発明に係る照明装置では、上記波長カットフィルタは、上記透明部材における上記パッケージの内部側に向いている面に設置されていることが好ましい。
【００１９】
これにより、透明部材の外側表面にさらに別のフィルタ等を設けることができる。よって、出射光の特性をさらに変化させることができるというさらなる効果を奏する。
【００２０】
また、本発明に係る照明装置では、上記透明部材は、上記波長カットフィルタと一体化したものであることが好ましい。
【００２１】
これにより、照明装置を構成する部品数を減少させることができる。よって、製造工程における組み立て工数を少なくすることができる。従って、製造コストを抑制することができるというさらなる効果を奏する。
【００２２】
また、本発明に係る照明装置では、さらに、上記透明部材の表面に、発光素子を外部電力と電気的に接続するための電気配線が設けられ、上記発光素子は、上記透明部材における上記パッケージの内部側に向いている面に設置されていることが好ましい。
【００２３】
これにより、透明部材上に発光素子が設置されるため、透明部材の上に発光素子を外部電力と電気的に接続するための配線を設けることができる。透明部材は平板形状であり、内部に入り組んだ構造を有するパッケージと比較して、プリント基板技術などによって、より簡便に配線を設けることができる。よって、より容易に照明装置を製造することができるというさらなる効果を奏する。
【００２４】
また、本発明に係る照明装置では、上記電気配線における上記パッケージの開口部が設けられている面に対して垂直方向の幅が、上記パッケージの開口部が設けられている面に対して水平方向の幅よりも広いことが好ましい。
【００２５】
これにより、配線材料の断面積が大きくなるため、配線における熱伝導率が高くなるよって、配線材料は、透明部材と比較して熱伝導性が高いため、透明部材の温度上昇を抑制することができる。これに伴い、透明部材の上に設けられた発光素子の温度上昇も抑制される。一般に発光素子の温度が上昇すると発光素子の光出力及び寿命特性が低下する。従って、より発光効率が高く、発光寿命の長い照明装置を提供することができるというさらなる効果を奏する。
【００２６】
また、本発明に係る照明装置では、複数色のカラーフィルタを備えた液晶表示装置に搭載される照明装置であって、各色のカラーフィルタの透過特性のスペクトル分布が互いに重なる帯域の光をカットするための第２の波長カットフィルタが、上記パッケージの開口部に備えられていることが好ましい。
【００２７】
上記の構成によれば、液晶表示装置が備える各カラーフィルタの透過特性のスペクトル分布が重なる帯域の光をカットするための第２の波長カットフィルタがパッケージの開口部に設けられている。これにより、上記開口部から照射される光を、液晶表示装置が画像を表示するために適した波長にすることができる。これにより、当該照明装置を、液晶表示装置のバックライトとして好適に用いることができる。
【００２８】
なお、上記複数のカラーフィルタとしては、どのようなものを用いてもよいが、例えば、Ｒ・Ｇ・Ｂの特性を有する３つのカラーフィルタ等が挙げられる。
【００２９】
また、本発明に係る照明装置では、上記パッケージの内部に、上記蛍光物質を含んだ透明樹脂が充填されていることが好ましい。
【００３０】
これにより、蛍光物質の塗布をパッケージの内部の表面にする必要が無くなるため、照明装置の製造工程における蛍光物質の塗布が容易になる。よって、より容易に照明装置を製造することができるというさらなる効果を奏する。
【００３１】
また、本発明に係る照明装置では、上記発光素子から出射される光は、紫外領域の光であることが好ましい。
【００３２】
発光素子から出射される光が紫外領域の光であることにより、可視領域の光は、蛍光物質が発光する光のみとなる。よって、任意の蛍光物質を選択することで、放射する光の波長範囲を容易に調整することができるというさらなる効果を奏する。
【００３３】
また、本発明に係る照明装置では、上記パッケージは、セラミックで形成されたものであることが好ましい。
【００３４】
これにより、パッケージの放熱性を高めることができ、パッケージ内部の温度上昇を抑制することができる。これに伴い、パッケージ内部に設けられた発光素子の温度上昇も抑制される。一般に発光素子の温度が上昇すると発光素子の光出力及び寿命特性が低下する。従って、より発光効率が高く、発光寿命の長い照明装置を提供することができるというさらなる効果を奏する。
【００３５】
また、本発明に係る照明装置では、上記発光素子は、上記パッケージの内部に複数備えられていることが好ましい。
【００３６】
これにより、光の強度をより高めることができる。よって、より光度の高い発光特性を得ることができるというさらなる効果を奏する。
【００３７】
また、本発明に係る照明装置では、さらに、第２の波長カットフィルタの上に、第２の透明部材を備えていることが好ましい。
【００３８】
これにより、透明部材の上に設けた第２の波長カットフィルタを外部から保護することができる。また、透明部材の外側表面にさらに別のフィルタ等を設けることができる。
よって、第２の波長カットフィルタの耐久性をより高くすることができ、出射光の特性をさらに変化させることができるというさらなる効果を奏する。
【００３９】
本発明に係るバックライト装置は、上記課題を解決するために、上記照明装置を備えたバックライト装置において、透明部材上に上記照明装置が、複数配置されていることを特徴としている。
【００４０】
上記の構成によれば、上記照明装置を搭載しているため、より発光効率が高く、消費電力の少ないバックライト装置を提供することができるという効果を奏する。また、透明部材上に上記照明装置が複数個配置されているため、上記透明部材上に電気配線を配置させることにより、別途配線基板等を使用する必要がなくなる。これにより、構成部品の数を減らすことができるため、より低コストでバックライト装置を製造することができるという効果を奏する。
【００４１】
本発明に係る液晶表示装置は、上記課題を解決するために、上記バックライト装置を搭載していることを特徴としている。
【００４２】
上記の構成によれば、上記バックライト装置を搭載しているため、より発光効率が高く、消費電力の少ない液晶表示装置を提供することができるという効果を奏する。
【発明の効果】
【００４３】
本発明に係る照明装置は、以上のように、透明部材に、発光素子から出射する光を反射させるための波長カットフィルタを備えている。よって、より発光効率が高い照明装置を提供することができるという効果を奏する。
【発明を実施するための最良の形態】
【００４４】
（実施の形態１）
本発明の一実施形態について図１及び図２に基づいて説明すると以下の通りである。
【００４５】
なお、紫外領域とは波長がＸ線よりも長く可視光線よりも短い略１ｎｍ〜４００ｎｍの波長範囲のことである。また、可視領域とは波長が紫外線よりも長く赤外線よりも短い、略４００ｎｍ〜８００ｎｍの波長範囲のことである。
【００４６】
図１は、本実施の形態に係る照明装置の断面図である。図２は、本実施の形態に係る照明装置の概略構成を示す斜視図である。
【００４７】
図１に示すように照明装置１０１は、ＬＥＤ素子（発光素子）１、パッケージ３、透明板（透明部材）４、紫外カットフィルタ（波長カットフィルタ）６、蛍光体（蛍光物質）５とを含んでいる。
【００４８】
パッケージ３は、ＬＥＤ素子１及び蛍光体５を内部に格納するための照明装置における基体となるものである。具体的には、上記パッケージ３は、正方形を底面とする略四角柱の上面に凹部が設けられた形状を有している。パッケージ３に設けられている凹部は、円錐の先端を円錐の底面と平行にカットした形状を有しており、円錐の底面がパッケージ３の上面と重なるように設けられている。これにより、パッケージ３の上面には円形の開口部１８が形成される。凹部は、開口部１８の方が凹部の底面よりも広くなるように設けられており、凹部の底面はパッケージ３の底面及び上面と平行となっている。
【００４９】
ＬＥＤ素子１は、Ａｇペースト又は共晶等により、パッケージ３における凹部の底面に接着させることにより固定されている。ＬＥＤ素子１は、Ａｕワイヤ２によって外部電力と電気的に接続され、外部電力によって紫外領域の光を出射する。ＬＥＤ素子１が出射する紫外領域の光は、ピーク波長の範囲が３６０ｎｍ〜４１５ｎｍである。
【００５０】
蛍光体５は、ＬＥＤ素子１が発光することにより発生した紫外領域の光によって励起され、可視領域の光を発するものである。この蛍光体５は、パッケージ３における凹部の側面に塗布されている。蛍光体５は、紫外領域の光によって励起されるＲ・Ｇ・Ｂの各色をそれぞれ発光する３種類の蛍光物質が樹脂等の材料中に分散したものであり、ＬＥＤ素子１から出射される光を吸収して、Ｒ・Ｇ・Ｂ各色の光を発光する。
【００５１】
透明板４は、パッケージ３の内部に設置されるＬＥＤ素子１、蛍光体５等を保護するためのものであり、底面がパッケージ３の上面と略等しい形状である平板形状である。透明板４の底面がパッケージ３の上面と接するように備えられ、パッケージ３の開口部が設けられている面を塞いでいる。
【００５２】
紫外カットフィルタ６は、ＬＥＤ素子１から出射する紫外領域の光を反射させるものである。この紫外カットフィルタ６は、透明板４のパッケージ３側の面上に設けられている。そして、紫外カットフィルタ６は、ＬＥＤ素子１から出射する紫外領域の光を外部へ放出させないように、底面がパッケージ３の開口部１８と略等しい形状である平板形状を有している。紫外カットフィルタ６は、ピーク波長が４２５ｎｍ以下の光をカットし、可視領域の光は透過させる。
【００５３】
以下に、照明装置１０１の動作について説明する。
【００５４】
ＬＥＤ素子１から出射された光は、その光の一部が蛍光体５を励起して、Ｒ・Ｇ・Ｂ各色の光となる。蛍光体５から発光されたＲ・Ｇ・Ｂ各色の光は、紫外カットフィルタ６及び透明板４を透過して外部へ放出される。一方、蛍光体５と作用せずに、直接又は反射によって紫外カットフィルタ６に達した光は、紫外カットフィルタ６によって反射され、パッケージ３の内部に留まることになる。このように紫外カットフィルタ６は、ＬＥＤ素子１から出射される紫外領域の光のみを反射し、可視領域の光である蛍光体５が発光したＲ・Ｇ・Ｂ各色の光は透過させる。その結果、紫外カットフィルタ６を反射した光は、蛍光体５に吸収されるまで、パッケージ３の内部に留まることになる。よって、最終的にはＬＥＤ素子１から出射されるほとんどの光がＲ・Ｇ・Ｂ光に変換されることになる。従って、ＬＥＤ素子１から出射される光を有効に利用することができ、照明装置の発光効率を向上させることができる。
【００５５】
発光素子としては、外部電力によって光を発光する素子であれば、どのような構成のものであっても良く、ＬＥＤ素子１には限定されない。例えば、発光素子がレーザーであれば、本実施形態と略同様の効果が得られる。また、発光素子が出射する光の波長範囲は、波長カットフィルタ６を透過する光の波長範囲以外のものであれば良く、紫外領域に限定されない。蛍光物質は一般的に、励起する光の波長に対して発光する光の波長は長波長側にシフトする。このため、発光素子が出射する光の波長範囲は、紫外領域であることがより好ましい。
【００５６】
また、本実施の形態においては、ＬＥＤ素子１が出射する光の波長範囲には可視領域の光は含まれていないが、可視領域の光を含んでいてもかまわない。例えば、ＬＥＤ素子１として、青色発光ＬＥＤを用いた場合では、青色発光ＬＥＤが発光する光には、青色の可視領域の光と紫外領域の光とが含まれる。このため、蛍光体５として紫外領域の光によって励起されて赤色及び緑色の光を発光する構成のものを用いれば、青色発光ＬＥＤ自身が発光する青色の光と蛍光体５が発光する赤色及び緑色の光と組み合わせることで、照明装置で白色光を出射させることができる。
【００５７】
また、本実施の形態においては、パッケージ３は、凹部を設けた形状を有しているが、内部にＬＥＤ素子１及び蛍光体５が収容することができれば、この構造に限定されない。但し、パッケージ３のような構成であれば、部材に凹部を設けるだけの簡単な加工を施すことによりパッケージを形成させることができる。このため、製造コストを抑制することができるためより好ましい。
【００５８】
パッケージ３を構成する材料としては、放熱性に優れた材料が挙げられ、セラミック材、金属（銅、アルミニウム）等が挙げられる。セラミック材は、放熱性に優れるため、照明装置１０１の温度上昇を抑制することができる点でより好ましい。一般に、ＬＥＤ素子１の温度が高くなるとＬＥＤ素子１の光出力が低下したり、発光寿命が短くなる傾向がある。よって、照明装置１０１の温度上昇を抑制することで、より発光効率が高く、発光寿命の長い照明装置を実現することができる。
【００５９】
また、本実施の形態においては、照明装置の耐久性をより高くすることができるため、
透明板４が設けられていることがより好ましい。但し、透明板４を設けない構成であってもかまわない。
【００６０】
また、透明板４は、簡単に透明部材を製造することができ、製造コストを抑制することができるため、板状形状であることがより好ましい。但し、これに限定されず、例えば、半球形状のような非平面形状のものであってもかまわない。
【００６１】
透明板４を構成する材料としては、可視領域の光に対して光学的に透明である材料が挙げられる。ここで、可視領域の光に対して光学的に透明とは、可視領域の光において、透過率が７０％以上であることを意味する。透明部材４が可視領域の光に対して光学的に透明であれば、該部材による光の吸収等を抑制することができ、光の利用効率を高めることができる。
【００６２】
透明板４を構成する材料としては、具体的には、ガラス等の無機物、ＰＥＴ等の有機化合物が挙げられ、より好ましくはガラスである。
【００６３】
上記蛍光体５に使用される蛍光物質としては、以下のものが挙げられる。
【００６４】
具体的には、赤色を発光する蛍光物質としては、Ｍ2Ｏ2Ｓ：Ｅｕ（但し、ＭはＬａ，Ｇｄ，Ｙから選ばれるいずれか一つまたは２以上の元素）、０.５ＭｇＦ2・３．５ＭｇＯ・ＧｅＯ2：Ｍｎ、Ｙ2Ｏ3：Ｅｕ、Ｙ（Ｐ，Ｖ）Ｏ4：Ｅｕ、ＹＶＯ4：Ｅｕ等が挙げられる。上記赤色を発光する蛍光物質は、単独で使用しても良く、あるいは２種以上併用しても良い。
【００６５】
青色を発光する蛍光物質としては、Ａ10（ＰＯ4）6Ｃｌ2：Ｅｕ（但し、ＡはＳｒ，Ｃａ，Ｂａ，Ｍｇ，Ｃｅから選ばれるいずれか一つまたは２以上の元素）、ＸＭｇ2Ａｌ16Ｏ27：Ｅｕ（但し、ＸはＳｒ，Ｂａから選ばれるいずれか一つまたは両方の元素）、ＸＭｇＡｌ10Ｏ17：Ｅｕ（但し、ＸはＳｒ，Ｂａから選ばれるいずれか一つまたは両方の元素）、ＺｎＳ：Ａｇ、Ｓｒ10（ＰＯ4）6Ｃｌ2：Ｅｕ、Ｃａ10（ＰＯ4）6Ｆ2：Ｓｂ、Ｚ3ＭｇＳｉ2Ｏ8：Ｅｕ（但し、ＺはＳｒ，Ｂａ，Ｃａから選ばれるいずれか一つまたは２以上の元素）、ＳｒＭｇＳｉ2Ｏ8：Ｅｕ、Ｓｒ2Ｐ2Ｏ7：Ｅｕ、ＣａＡｌ2Ｏ4：Ｅｕ，Ｎｄ等が挙げられる。上記青色を発光する蛍光物質は、単独で使用しても良く、あるいは２種以上併用しても良い。
【００６６】
緑色を発光する蛍光物質としては、ＲＭｇ2Ａｌ16Ｏ27：Ｅｕ，Ｍｎ（但し、ＲはＳｒ，Ｂａから選ばれるいずれか一つまたは両方の元素）、ＲＭｇＡｌ10Ｏ17：Ｅｕ，Ｍｎ（但し、ＲはＳｒ，Ｂａから選ばれるいずれか一つまたは両方の元素）、ＺｎＳ：Ｃｕ、ＳｒＡｌ2Ｏ4：Ｅｕ、ＳｒＡｌ2Ｏ4：Ｅｕ，Ｄｙ、ＺｎＯ：Ｚｎ、Ｚｎ2Ｇｅ2Ｏ4：Ｍｎ、Ｚｎ2ＳｉＯ4：Ｍｎ、Ｑ3ＭｇＳｉ2Ｏ8：Ｅｕ，Ｍｎ（但し、ＱはＳｒ，Ｂａ，Ｃａから選ばれるいずれか一つまたは２以上の元素）等が挙げられる。上記緑色を発光する蛍光物質は、単独で使用しても良く、あるいは２種以上併用しても良い。
【００６７】
また、本実施の形態においては、紫外カットフィルタ６が、透明板４におけるパッケージ３の内部側に向いている面に設置されているが、これに限定されない。例えば、透明板４の外側に向いている面に設置されていてもかまわない。但し、紫外カットフィルタ６が、透明板４におけるパッケージ３の内部側に向いている面に設置されていることにより、透明板４の外側表面にさらに別のフィルタ等を設けることができる。よって、照明装置を、出射光の特性をさらに変化させることができる構成とすることができるためより好ましい。
【００６８】
また、照明装置１０１では、透明板４と紫外カットフィルタ６とが別々の部材である構成であるが、透明板４と紫外カットフィルタ６とが一体化したものであってもかまわない。透明板４と紫外カットフィルタ６とが一体化したものであれば、照明装置を構成する部品数を減少させることができるため、製造工程における組み立て工数を少なくすることができる。従って、製造コストを抑制することができるためより好ましい。
【００６９】
以上のように、本発明に係る照明装置は、上記発光素子から出射される光における可視領域以外の光を反射する波長カットフィルタが、上記パッケージの開口部に備えられているため、発光素子から出射される可視領域以外の光はパッケージの外部へ放出され難くなる。これにより、発光素子から出射される可視領域以外の光は、発光物質を励起するまでパッケージの内部に留まることになる。よって、より多くの発光素子から出射される光が、照明装置から出射される可視領域の光に寄与することができるため、照明装置から出射される光の光度が高くなる。従って、より少ない電力で照明装置から可視領域の光を出射させることができるため、より発光効率が高く、消費電力の少ない照明装置を実現することができる。
【００７０】
（実施の形態２）
本発明の第２の実施の形態について、図３及び図４を用いて以下に詳細に説明する。但し、上述した実施の形態１における部材と同一の部材には同一の符号を付し、その説明は省略する。
【００７１】
図３は、本実施の形態に係る照明装置の断面図である。図４は、本実施の形態に係る照明装置の透明板の表面構成を示す図３の拡大図である。
【００７２】
図３に示すように照明装置２０１は、実施の形態１と異なり、ＬＥＤ素子１が透明板４のパッケージ３側の面に設置されている。
【００７３】
図４に示すように、ＬＥＤ素子１が設置されている透明板４には、パッケージ３の凹部側の面に配線（電気配線）１５が設けられており、ＬＥＤ素子１を電気的に接続している。
【００７４】
蛍光体５は、実施の形態１とは異なり、パッケージ３の凹部の底面にＬＥＤ素子１が設けられていないため、凹部全体に塗布される。
【００７５】
照明装置２０１では、透明板４の表面に、ＬＥＤ素子１を電気的に接続するための配線１５が設けられ、ＬＥＤ素子１が、透明板４におけるパッケージ３の内部側に向いている面に設置されている。これにより、透明板４上にＬＥＤ素子１が設置されるため、透明板４の上にＬＥＤ素子１を電気的に接続するための配線１５を設けることができる。透明板４は平板形状であり、内部に入り組んだ構造を有するパッケージ３と比較して、プリント基板技術などによって、より簡便に配線を設けることができる。よって、より容易に照明装置を製造することができる。
【００７６】
また、照明装置２０１では、図４に示すように透明板４における配線１５は、パッケージ３の開口部が設けられている面に対して垂直方向の幅Ｗが、パッケージ３の開口部が設けられている面に対して水平方向の幅よりも広くなっている。これにより、配線１５の断面積が大きくなるため、配線１５における熱伝導率が高くなる。銅等の配線１５の材料は、透明板４と比較して熱伝導性が高いため、透明板４の温度上昇を抑制することができる。これに伴い、透明板４の上に設けられたＬＥＤ素子１の温度上昇も抑制される。一般に発光素子の温度が上昇すると発光素子の光出力及び寿命特性が低下する。従って、より発光効率が高く、発光寿命の長い照明装置を提供することができる。
【００７７】
配線１５の熱伝導率を高くするためには、配線１５の垂直方向の幅Ｗではなく、パッケージ３の開口部が設けられている面に対して水平方向の幅を広くすることによっても可能である。しかしながら、通常の配線では上記垂直方向の幅Ｗが上記水平方向の幅より小さくなっており、上記垂直方向と比較して、配線基板上における上記水平方向には空間的余裕が少なく、領域が限られているため、配線を上記水平方向に広げることは困難である。
【００７８】
照明装置２０１の動作は、照明装置１０１と略同様であるため、説明は省略する。
【００７９】
（実施の形態３）
本発明の第３の実施の形態について、図５を用いて以下に詳細に説明する。但し、上述した実施の形態１、２における部材と同一の部材には同一の符号を付し、その説明は省略する。
【００８０】
実施の形態１において、さらに、透明板４の上に波長カットフィルタ（第２の波長カットフィルタ）８を設けたこと以外は、実施の形態１の構成と同じ構成で、照明装置が形成されている。
【００８１】
図５は、本実施の形態に係る照明装置の断面図である。
【００８２】
図５に示すように照明装置３０１は、透明板４の上に波長カットフィルタ８が設置されている。波長カットフィルタ８は、透明板４を通って外部に放出する全ての光と作用できるように、開口部１８と略等しい大きさの平板形状を有している。
【００８３】
照明装置３０１は、液晶表示装置に用いられるバックライト用の照明装置である。液晶表示装置では、一般的に、バックライトからの光をカラーフィルタによってＲ・Ｇ・Ｂ各色に着色させることでカラー表示を行っている。ＬＥＤをバックライト装置として用いた液晶表示装置では、発光スペクトル分布がカラーフィルタの透過特性のスペクトル分布と異なっているため、色再現範囲が狭く演色性に欠けるといった欠点がある。より具体的には、液晶表示装置では、Ｒ・Ｇ・Ｂの３種類のカラーフィルタを使用しており、この３色を組み合わせることにより、フルカラー表示を行っている。このため、これらＲ・Ｇ・Ｂそれぞれのスペクトル分布におけるピーク幅がブロードであると、それぞれの色純度が低くなり、色再現範囲が狭く演色性が低くなってしまう。例えば、現状で最も光度が高い白色ＬＥＤである青色ＬＥＤと黄色発光蛍光体とを組み合わせた光源をバックライトとして使用した場合、ＬＥＤが発光する青色光と蛍光体が発光する黄色光との２種類のピークからなる波長分布となるため、緑色のピークと赤色のピークとに対応した波長の光が少なく、緑及び赤色表示の際に中間的な色表示となってしまう。
【００８４】
また、カラーフィルタの透過特性の分布と同じ３つのピーク分布とするため、青色ＬＥＤと緑色蛍光体及び赤色蛍光体とを組み合わせた光源がある。しかしながら、これらの構成では、Ｒ・Ｇ・Ｂの３つのピークを有するスペクトル分布とはなるが、各蛍光体による発光スペクトル分布のピーク幅が広いため、それぞれのピーク同士が重なり合った連続的な分布となってしまう。このため、青、緑、赤の原色に他の色が混ざってしまうために鮮明な色表示をすることが困難となっている。
【００８５】
そこで、本実施の形態に係る照明装置３０１は、Ｒ・Ｇ・Ｂの各成分における光の波長分布が重なる帯域をカットするための波長カットフィルタ８を備えている。波長カットフィルタ８は、Ｒ・Ｇ・Ｂの各カラーフィルタの透過特性のスペクトル分布が重なる帯域の光をカットする。このため、Ｒ・Ｇ・Ｂの各成分における光の波長分布がシャープとなり、各色の色純度が高くなる。よって、照明装置３０１を液晶表示用バックライト装置に使用することで、ＬＥＤ素子１や蛍光体５の発光特性に依存せず、色再現範囲が広く、演色性に優れた液晶表示を実現することができる。
【００８６】
Ｒ・Ｇ・Ｂの３種類のカラーフィルタにおいて、Ｒのカラーフィルタは５７５ｎｍ以上の波長範囲の光を透過する特性を有しており、Ｇのカラーフィルタは略４７５ｎｍ〜６２０ｎｍの波長範囲の光を透過する特性を有しており、Ｂのカラーフィルタは略３８０ｎｍ〜５５０ｎｍの波長範囲の光を透過する特性を有している。このため、色再現範囲を広く、演色性を高くするために波長カットフィルタ８は、ＲとＧとが重なり合う領域略５８０ｎｍ〜６１０ｎｍ及びＧとＢとが重なり合う領域略４７５ｎｍ〜５２５ｎｍの波長範囲の光をカットすることが好ましく、５８０ｎｍ〜６２０ｎｍ及び４７５ｎｍ〜５５０ｎｍの波長範囲の光をカットするものであることがより好ましい。
【００８７】
尚、上記波長カットフィルタ８は、ＲとＧとが重なり合う領域及びＧとＢとが重なり合う領域のどちらか一方の波長範囲の光をカットするものであってもかまわないが、上記両方の波長範囲の光をカットするものであることが好ましい。
【００８８】
照明装置３０１では、Ｒ・Ｇ・Ｂの各カラーフィルタの透過特性のスペクトル分布が重なる帯域の光をカットするための波長カットフィルタ８が、透明板４における外側に向いている面に備えられている。これにより、Ｒ・Ｇ・Ｂの各成分における光の波長分布がシャープとなり、各色の色純度が高くなる。よって、液晶表示用のバックライト装置等に用いることで、発光素子や蛍光物質の発光特性に依存せず、色再現範囲が広く、演色性に優れた液晶表示を実現することができる。
【００８９】
照明装置３０１の動作は、照明装置１０１と略同様であるため、説明は省略する。
【００９０】
（実施の形態４）
本発明の第４の実施の形態について、図５を用いて以下に詳細に説明する。但し、上述した実施の形態１〜３における部材と同一の部材には同一の符号を付し、その説明は省略する。
【００９１】
実施の形態２において、パッケージ３における凹部の形状が異なること以外は、実施の形態２の構成と同じ構成で、照明装置が形成されている。
【００９２】
図６は、本実施の形態に係る照明装置の断面図である。
【００９３】
図６に示すように照明装置４０１におけるパッケージ３は、上面から内部に向かって、半球状の凹部が設けられている。このため、ＬＥＤ素子１から蛍光体５が塗布されているパッケージ３の凹部内部の側面までの距離が略等しくなっている。従って、より均一に蛍光体５をＬＥＤ素子１によって励起させることができるため、発光強度が安定した、発光指向特性が均一である照明装置を実現することができる。
【００９４】
このように、凹部の形状を変化させることで、中心の出力を高めるタイプ、全体の出力を平均的にするタイプ、端部の出力を高めるタイプ等、必要とする指向特性を出すことが可能となる。
【００９５】
照明装置４０１の動作は、照明装置１０１と略同様であるため、説明は省略する。
【００９６】
（実施の形態５）
本発明の第５の実施の形態について、図７を用いて以下に詳細に説明する。但し、上述した実施の形態１〜４における部材と同一の部材には同一の符号を付し、その説明は省略する。
【００９７】
実施の形態４において、ＬＥＤ素子が２つ設けられていること以外は、実施の形態４の構成と同じ構成で、照明装置が形成されている。
【００９８】
図７は、本実施の形態に係る照明装置の断面図である。
【００９９】
図７に示すように照明装置５０１は、第１のＬＥＤ素子１２と第２のＬＥＤ素子１３とが透明板４の凹部側の表面に設置されている。これにより、同じ発光特性を有するＬＥＤ素子又は異なった発光特性を有するＬＥＤ素子と組み合わせることにより、光の強度や発光波長範囲等の発光特性を自由に調整することができる。よって、任意の発光特性を得ることができる。
【０１００】
なお、照明装置５０１では、発光素子が２つ設けられた構成であったがこれに限定されない。パッケージ３の内部に設置可能な数だけ設置することができる。
【０１０１】
以上のように、照明装置５０１では、発光素子がパッケージの内部に複数備えられている。これにより、光の強度をより高めることができる。よって、より光度の高い発光特性を得ることができる。
【０１０２】
照明装置５０１の動作は、照明装置１０１と略同様であるため、説明は省略する。
【０１０３】
（実施の形態６）
本発明の第６の実施の形態について、図８を用いて以下に詳細に説明する。但し、上述した実施の形態１〜５における部材と同一の部材には同一の符号を付し、その説明は省略する。
【０１０４】
実施の形態１において、パッケージ３の代わりに樹脂製反射板（パッケージ）１０及び樹脂基板（パッケージ）１１が設けられていること以外は、実施の形態１の構成と同じ構成で、照明装置が形成されている。
【０１０５】
図８は、本実施の形態に係る照明装置の断面図である。
【０１０６】
図８に示すように照明装置６０１は、パッケージの代わりに樹脂基板１１と樹脂製反射板１０とを備えている。
【０１０７】
樹脂基板１１は、底面が樹脂製反射板１０の底面よりも大きい平板形状を有しており、その上面の上にＬＥＤ素子１が搭載される。
【０１０８】
樹脂製反射板１０は、正方形を底面とする略四角柱に、円錐の先端を底面と平行にカットした形状の穴を上面から底面に向かって貫通させた形状を有している。上面及び底面の穴は、それぞれの面の中心となるように設けられ、底面よりも上面の方が穴が大きい。
【０１０９】
ＬＥＤ素子１は樹脂基板１１の上に設置されている。樹脂製反射板１０は、樹脂基板１１のＬＥＤが設置されている面の上に、低面が樹脂基板１１と接するように設置されている。このとき、ＬＥＤ素子１は、樹脂製反射板１０が有する貫通した穴の中に格納される。樹脂製反射板１０の上面には、照明装置１０１と同様に、紫外カットフィルタ６と透明板４とが設置されている。
【０１１０】
照明装置６０１は、上記構成のように、パッケージ材として安価である樹脂からパッケージが作製されているため、より低いコストで製造することができる。
【０１１１】
照明装置６０１の動作は、照明装置１０１と略同様であるため、説明は省略する。
【０１１２】
（実施の形態７）
本発明の第７の実施の形態について、図９を用いて以下に詳細に説明する。但し、上述した実施の形態１〜６における部材と同一の部材には同一の符号を付し、その説明は省略する。
【０１１３】
図９は、本実施の形態に係る照明装置の断面図である。
【０１１４】
本実施の形態では、ＬＥＤ素子１が搭載される樹脂基板１１の面の上にリードフレーム７２が設けられていること以外は、実施の形態６の構成と同じ構成で、照明装置７０１が形成されている。
【０１１５】
照明装置７０１は、ＬＥＤ素子１が搭載される樹脂基板１１の面の上にリードフレーム７２が設けられているため、ＬＥＤ素子１を駆動させるための配線を別途設ける必要がない。このため、さらに低いコストで照明装置を製造することができる。
【０１１６】
照明装置７０１の動作は、照明装置１０１と略同様であるため、説明は省略する。
【０１１７】
（実施の形態８）
本発明の第８の実施の形態について、図１０及び図１１を用いて以下に詳細に説明する。但し、上述した実施の形態１〜７における部材と同一の部材には同一の符号を付し、その説明は省略する。
【０１１８】
第２の透明板（第２の透明部材）９が設けられていること以外は、実施の形態３の構成と同じ構成で、照明装置が形成されている。
【０１１９】
図１０は、本実施の形態に係る照明装置の断面図である。図１１は、本実施の形態に係る照明装置の概略構成を示す斜視図である。
【０１２０】
図１０及び図１１に示すように照明装置８０１は、波長カットフィルタ８の上に、さらに第２の透明板９が設置されている。第２の透明板９は、透明板４と同じ形状のものである。
【０１２１】
照明装置８０１では、第２の透明板９が、波長カットフィルタ８の上に設置されている。これにより、透明板４の上に設けられた波長カットフィルタ８を外部から保護することができる。また、第２の透明板９の外側表面にさらに別のフィルタ等を設けることができる。よって、波長カットフィルタ８の耐久性をより高くすることができ、出射光の特性をさらに変化させることができる。
【０１２２】
照明装置８０１の動作は、照明装置１０１と略同様であるため、説明は省略する。
【０１２３】
（実施の形態９）
本発明の第９の実施の形態について、図１２及び１３を用いて以下に詳細に説明する。但し、上述した実施の形態１〜８における部材と同一の部材には同一の符号を付し、その説明は省略する。
【０１２４】
実施の形態１において、蛍光体５の代わりに蛍光物質含有透明樹脂（蛍光物質を含んだ透明樹脂）１４が凹部に充填されていること以外は、実施の形態１の構成と同じ構成で、照明装置が形成されている。
【０１２５】
図１２は、本実施の形態に係る照明装置の断面図である。図１３は、図１２の透明板設置前の照明装置の中心を通ってパッケージにおける凹部の開口部が設けられている面に対して垂直方向に切断した断面図である。
【０１２６】
図１２に示すように照明装置９０１は、パッケージ３の凹部の内部に蛍光物質含有透明樹脂１４が充填されている。蛍光物質含有透明樹脂１４は、紫外光によって励起され、Ｒ・Ｇ・Ｂの各色をそれぞれ発光する３種類の蛍光物質が透明樹脂中に分散したものである。
【０１２７】
蛍光物質含有透明樹脂１４に含有する透明樹脂としては、可視領域の光に対して光学的に透明である樹脂が挙げられ、シリコン樹脂、エポキシ樹脂等が挙げられる。
【０１２８】
照明装置９０１では、パッケージ３の内部に、蛍光物質含有透明樹脂１４が充填されている。これにより、蛍光物質の塗布をパッケージの内部の表面にする必要が無くなるため、照明装置の製造工程における蛍光物質の塗布が容易になる。つまり、図１３に示すようにパッケージ３の凹部の底面の上にＬＥＤ素子１を設置した後、蛍光物質含有透明樹脂１４を凹部に充填し、パッケージ３の開口部の上に紫外カットフィルタ６と透明板４とを設置することにより照明装置８０１を製造することができる。よって、より容易に照明装置を製造することができる。
【０１２９】
照明装置９０１の動作は、照明装置１０１と略同様であるため、説明は省略する。
【０１３０】
（実施の形態１０）
本発明の第１０の実施の形態について、図１４を用いて以下に詳細に説明する。但し、上述した実施の形態１〜９における部材と同一の部材には同一の符号を付し、その説明は省略する。
【０１３１】
実施の形態９において、さらに、透明板４の上に波長カットフィルタ（第２の波長カットフィルタ）８を設けたこと以外は、実施の形態９の構成と同じ構成で、照明装置が形成されている。
【０１３２】
図１４は、本実施の形態に係る照明装置の断面図である。
【０１３３】
図１４に示すように照明装置１００１では、Ｒ・Ｇ・Ｂの各カラーフィルタの透過特性のスペクトル分布が重なる帯域の光をカットするための波長カットフィルタ８が、透明板４における外側に向いている面に備えられている。これにより、Ｒ・Ｇ・Ｂの各成分における光の波長分布がシャープとなり、各色の色純度が高くなる。よって、液晶表示用のバックライト装置等に用いることで、発光素子や蛍光物質の発光特性に依存せず、色再現範囲が広く、演色性に優れた液晶表示を実現することができる。
【０１３４】
照明装置１００１の動作は、照明装置１０１と略同様であるため、説明は省略する。
【０１３５】
（実施の形態１１）
本発明の第１１の実施の形態について、図１５及び図１６を用いて以下に詳細に説明する。但し、上述した実施の形態１〜１０における部材と同一の部材には同一の符号を付し、その説明は省略する。
【０１３６】
図１５は、本実施の形態に係るバックライト装置の断面図である。また、図１６は、本実施の形態に係るバックライト装置の概略構成を示す斜視図である。
【０１３７】
なお、バックライト装置とは、上述した照明装置を複数備えている照明装置のことを指し、液晶表示装置用バックライト装置には限定されない。
【０１３８】
図１５及び図１６に示すように、バックライト装置１１０１は、１枚の透明板４に１３個の照明装置が形成されている。透明板４は、長方形を底面とした平板形状であり、その底面に、長辺方向に端から４個、５個、４個と３つの列を成して照明装置が互いに略等間隔となるように配されている。それぞれの照明装置の構成は実施の形態４の照明装置４０１と同じであり、透明板４の上面から見たときに、それぞれのパッケージ３の辺と透明板４の辺とが平行になるように配されている。
【０１３９】
以上のように、バックライト装置１１０１は、本実施の形態に係る照明装置を搭載しているため、より発光効率が高く、消費電力の少ないバックライト装置を提供することができる。また、１枚の透明板４の上に上記照明装置が複数個配置されているため、上記透明板４上に電気配線を配置させることにより、別途配線基板等を使用する必要がなくなる。これにより、構成部品の数を減らすことができるため、より低コストでバックライト装置を製造することができる。
【０１４０】
バックライト装置１１０１の動作は、照明装置１０１と略同様であるため、説明は省略する。
【０１４１】
（実施の形態１２）
本発明の第１２の実施の形態について、図１７を用いて以下に詳細に説明する。但し、上述した実施の形態１〜１１における部材と同一の部材には同一の符号を付し、その説明は省略する。
【０１４２】
図１７は、本実施の形態に係るバックライト装置の断面図である。
【０１４３】
本実施の形態では、バックライト装置１１０１に設けられた複数個の照明装置の構成が実施の形態１の照明装置１０１と略同じ構成となっていること以外は、実施の形態１１の構成と同じ構成で、バックライト装置１２０１が形成されている。但し、バックライト装置１２０１が備える複数個の照明装置では、照明装置１０１とは異なり、紫外カットフィルタ６がパッケージ３には設けられておらず、紫外カットフィルタ６は透明板４と一体化した構成となっている。
【０１４４】
図１７に示すように、透明板４のパッケージ３が設けられる側の面には配線基板（配線）７５が設けられおり、上記面と反対側の面には波長カットフィルタ８が設けられている。上記波長カットフィルタ８は、透明板４と略同じ面積の底面からなる板形状を有しており、透明板４と互いの底面が合うように設けられている。
【０１４５】
配線基板７５には、パッケージ３内の蛍光体５から出射される光を通過させるために、パッケージ３の開口部と略同じ大きさの穴が設けられている。上記配線基板７５には、複数個の照明装置それぞれに対応した数の穴が設けられている。上記配線基板７５に設けられた穴には、それぞれ紫外カットフィルタ６が設けられている。パッケージ３に配置されたＬＥＤ素子１は、上記配線基板７５にハンダ２５によって固定されている。
【０１４６】
バックライト装置１２０１の動作は、照明装置１０１と略同様であるため、説明は省略する。
【０１４７】
（実施の形態１３）
本発明の第１３の実施の形態について、図１８及び図１９を用いて以下に詳細に説明する。但し、上述した実施の形態１〜１２における部材と同一の部材には同一の符号を付し、その説明は省略する。
【０１４８】
図１８は、本実施の形態に係るバックライト装置の断面図である。図１９は、本実施の形態に係るバックライト装置の概略構成を示す斜視図である。
【０１４９】
図１８及び図１９に示すように、バックライト装置１３０１は、バックライト装置１１０１と同様に１枚の透明板４に１３個の照明装置が形成されているが、それぞれのパッケージ３が互いに繋がったものとなっている点で異なっている。よって、パッケージ３は、長方形を底面とする平板形状で、その上面に、長辺方向に端から４個、５個、４個と３つの列を成して半球形状の凹部が互いに略等間隔となるように配されている。
【０１５０】
これにより、１つのパッケージで複数の凹部を設けているため、１つのパッケージに１つの凹部を設けるよりも製造における工数を低減することができる。
【０１５１】
バックライト装置１３０１の動作は、照明装置１０１と略同様であるため、説明は省略する。
【０１５２】
なお、上述の説明では、ＬＥＤ素子が出射する光の範囲が紫外領域である紫外光発光ＬＥＤ素子である場合について説明したが、これに限るものではない。波長カットフィルタをＬＥＤ素子が出射する光の波長範囲に対応したものにすれば、青色発光ＬＥＤ素子等の可視領域の光を発光するものであってもよい。ＬＥＤ素子が青色発光ＬＥＤ素子であれば、本実施形態と略同様の効果が得られる。
【０１５３】
また、上述の説明では、蛍光体及び蛍光物質含有透明樹脂が３種類の蛍光物質を含有している場合について説明したが、これに限るものではない。Ｒ・Ｇ・Ｂの３色を発光する１種類の物質あってもよいし、同じ色に複数の物質を用いてもよい。上記構成の蛍光体であっても、本実施形態と略同様の効果が得られる。
【０１５４】
また、上述の説明では、透明板に１３個の照明装置が形成されているバックライト装置を例示して説明したが、本発明はこれに限定されない。照明装置の数は複数個であれば、本実施形態と略同様の効果が得られる。
【０１５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５６】
本発明の照明装置は、以上のように、発光素子から出射する光を反射させるための波長カットフィルタを備えている。よって、より発光効率が高い照明装置を提供することができる。それゆえ、本発明の照明装置は、液晶用バックライト用光源や照明用光源等の光源装置に好適に用いることができる。従って、本発明の照明装置は、家庭から工業設備にいたる様々な電気製品の分野に好適に用いることができる。
【図面の簡単な説明】
【０１５７】
【図１】本実施の一形態に係る照明装置の断面図である。
【図２】上記照明装置の概略構成を示す斜視図である。
【図３】本実施の他の形態に係る照明装置の断面図である。
【図４】上記照明装置の透明板の表面における要部構成を示す断面図である。
【図５】本実施のさらに他の形態に係る照明装置の断面図である。
【図６】本実施のさらに他の形態に係る照明装置の断面図である。
【図７】本実施のさらに他の形態に係る照明装置の断面図である。
【図８】本実施のさらに他の形態に係る照明装置の断面図である。
【図９】本実施のさらに他の形態に係る照明装置の断面図である。
【図１０】本実施のさらに他の形態に係る照明装置の断面図である。
【図１１】図９の照明装置の概略構成を示す斜視図である。
【図１２】本実施のさらに他の形態に係る照明装置の断面図である。
【図１３】図１２の透明板固着前の照明装置の断面図である。
【図１４】本実施のさらに他の形態に係る照明装置の断面図である。
【図１５】本実施の一形態に係るバックライト装置の断面図である。
【図１６】図１５のバックライト装置の概略構成を示す斜視図である。
【図１７】本実施の他の形態に係るバックライト装置の概略構成を示す断面図である。
【図１８】本実施のさらに他の形態に係るバックライト装置の断面図である。
【図１９】図１８のバックライト装置の概略構成を示す斜視図である。
【符号の説明】
【０１５８】
１    ＬＥＤ素子（発光素子）
３    パッケージ
４    透明板（透明部材）
５    蛍光体（蛍光物質）
６    紫外カットフィルタ（波長カットフィルタ）
８    波長カットフィルタ（第２の波長カットフィルタ）
９    第２の透明板（第２の透明部材）
１２    第１のＬＥＤ素子（発光素子）
１３    第２のＬＥＤ素子（発光素子）
１４    蛍光物質含有透明樹脂（蛍光物質を含んだ透明樹脂）
１５    配線（電気配線）
１０１    照明装置
１００１    バックライト装置
【図１】
2007088348.tif 000003
【図２】
2007088348.tif 000004
【図３】
2007088348.tif 000005
【図４】
2007088348.tif 000006
【図５】
2007088348.tif 000007
【図６】
2007088348.tif 000008
【図７】
2007088348.tif 000009
【図８】
2007088348.tif 000010
【図９】
2007088348.tif 000011
【図１０】
2007088348.tif 000012
【図１１】
2007088348.tif 000013
【図１２】
2007088348.tif 000014
【図１３】
2007088348.tif 000015
【図１４】
2007088348.tif 000016
【図１５】
2007088348.tif 000017
【図１６】
2007088348.tif 000018
【図１７】
2007088348.tif 000019
【図１８】
2007088348.tif 000020
【図１９】
2007088348.tif 000021